(57)【要約】【課題】感光体を、安全かつ容易に回転させることができ、感光体の品質を保つことのできる感光体カートリッジおよび現像カートリッジを提供すること。【解決手段】  ドラムカートリッジ６は、感光ドラム８と、感光ドラム８を回転させるための駆動力を受けるように構成される駆動力受け部４４と、感光ドラム８を被覆するドラムカバー８０とを備えている。ドラムカバー８０は、駆動力受け部４４に駆動を入力するための第１駆動力付与突起８８を有している。【選択図】図７
2014130304.tif 000002
【特許請求の範囲】
【請求項１】
感光体と、前記感光体を回転させるための駆動力を受けるように構成される第１駆動力受け部と、前記感光体の表面の少なくとも一部を被覆する感光体カバーとを備える感光体カートリッジであって、
前記感光体カバーは、前記第１駆動力受け部に駆動を入力するための第１駆動力付与部を有している
ことを特徴とする、感光体カートリッジ。
【請求項２】
前記第１駆動力付与部は、前記感光体カバーから突出する第１突起であることを特徴とする、請求項１に記載の感光体カートリッジ。
【請求項３】
前記第１突起は、
前記第１駆動力受け部に嵌合するように構成される第１中央突起と、
前記感光体カバーの長手方向における前記第１中央突起の両側に設けられ、前記第１駆動力受け部に嵌合するように構成される２つの第１側方突起と
を備えていることを特徴とする、請求項２に記載の感光体カートリッジ。
【請求項４】
前記第１中央突起は、前記第１側方突起よりも、前記感光体カバーから突出していることを特徴とする、請求項３に記載の感光体カートリッジ。
【請求項５】
前記感光体カバーは、樹脂からなり、
前記第１中央突起は、中空である
ことを特徴とする、請求項４に記載の感光体カートリッジ。
【請求項６】
前記感光体カバーは、前記感光体の長手方向に沿って延び、
前記第１駆動力付与部は、前記感光体カバーにおける前記長手方向の略中央に配置されている
ことを特徴とする、請求項１ないし５のいずれか一項に記載の感光体カートリッジ。
【請求項７】
前記感光体カバーは、前記第１駆動力受け部に対する前記感光体カバーの回転方向を示す回転方向表示部を備えていることを特徴とする、請求項１ないし６のいずれか一項に記載の感光体カートリッジ。
【請求項８】
感光体と、前記感光体の表面の少なくとも一部を被覆する感光体カバーとを備え、現像カートリッジを着脱可能な感光体カートリッジであって、
前記現像カートリッジは、
現像ローラと、
前記現像ローラを回転させるための駆動力を受けるように構成される第２駆動力受け部と
を備え、
前記感光体カバーは、前記第２駆動力受け部に駆動を入力するための第２駆動力付与部を有している
ことを特徴とする、感光体カートリッジ。
【請求項９】
前記第２駆動力付与部は、前記感光体カバーから突出する第２突起であることを特徴とする、請求項８に記載の感光体カートリッジ。
【請求項１０】
前記第２突起は、
前記第２駆動力受け部に嵌合するように構成される第２中央突起と、
前記感光体カバーの長手方向における前記第２中央突起の両側に設けられ、前記第２駆動力受け部に嵌合するように構成される２つの第２側方突起と
を備えていることを特徴とする、請求項９に記載の感光体カートリッジ。
【請求項１１】
前記感光体カバーは、樹脂から形成されていることを特徴とする、請求項１０に記載の感光体カートリッジ。
【請求項１２】
前記感光体カバーは、前記現像ローラの長手方向に沿って延び、
前記第２駆動力付与部は、前記感光体カバーにおける前記長手方向の略中央に配置されている
ことを特徴とする、請求項８ないし１１のいずれか一項に記載の感光体カートリッジ。
【請求項１３】
前記感光体カバーは、前記第２駆動力受け部に対する前記感光体カバーの回転方向を示す回転方向表示部を備えていることを特徴とする、請求項８ないし１２のいずれか一項に記載の感光体カートリッジ。
【請求項１４】
感光体と、前記感光体を回転させるための駆動力を受けるように構成される第１駆動力受け部とを備える感光体カートリッジに着脱可能な現像カートリッジであって、
前記現像カートリッジは、
現像ローラと、
前記現像ローラの表面の少なくとも一部を被覆する現像カバーと
を備え、
前記現像カバーは、前記第１駆動力受け部に駆動を入力するための第１駆動力付与部を有している
ことを特徴とする、現像カートリッジ。
【請求項１５】
前記第１駆動力付与部は、前記現像カバーから突出する第１突起であることを特徴とする、請求項１４に記載の現像カートリッジ。
【請求項１６】
前記第１突起は、
前記第１駆動力受け部に嵌合するように構成される第１中央突起と、
前記現像カバーの長手方向における前記第１中央突起の両側に設けられ、前記第１駆動力受け部に嵌合するように構成される２つの第１側方突起と
を備えていることを特徴とする、請求項１５に記載の現像カートリッジ。
【請求項１７】
前記第１中央突起は、前記第１側方突起よりも、前記現像カバーから突出していることを特徴とする、請求項１６に記載の現像カートリッジ。
【請求項１８】
前記現像カバーは、樹脂からなり、
前記第１中央突起は、中空である
ことを特徴とする、請求項１７に記載の現像カートリッジ。
【請求項１９】
前記現像カバーは、前記感光体の長手方向に沿って延び、
前記第１駆動力付与部は、前記現像カバーにおける前記長手方向の略中央に配置されている
ことを特徴とする、請求項１４ないし１８のいずれか一項に記載の感光体カートリッジ。
【請求項２０】
前記現像カバーは、前記第１駆動力受け部に対する前記現像カバーの回転方向を示す回転方向表示部を備えていることを特徴とする、請求項１４ないし１９のいずれか一項に記載の現像カートリッジ。
【請求項２１】
現像ローラと、前記現像ローラを回転させるための駆動力を受けるように構成される第２駆動力受け部と、前記現像ローラの表面の少なくとも一部を被覆する現像カバーとを備える現像カートリッジであって、
前記現像カバーは、前記第２駆動力受け部に駆動を入力するための第２駆動力付与部を有している
ことを特徴とする、現像カートリッジ。
【請求項２２】
前記第２駆動力付与部は、前記現像カバーから突出する第２突起であることを特徴とする、請求項２１に記載の現像カートリッジ。
【請求項２３】
前記第２突起は、
前記第２駆動力受け部に嵌合するように構成される第２中央突起と、
前記現像カバーの長手方向における前記第２中央突起の両側に設けられ、前記第２駆動力受け部に嵌合するように構成される２つの第２側方突起と
を備えていることを特徴とする、請求項２２に記載の現像カートリッジ。
【請求項２４】
前記現像カバーは、樹脂から形成されていることを特徴とする、請求項２３に記載の現像カートリッジ。
【請求項２５】
前記現像カバーは、前記現像ローラの長手方向に沿って延び、
前記第２駆動力付与部は、前記現像カバーにおける前記長手方向の略中央に配置されている
ことを特徴とする、請求項２１ないし２４のいずれか一項に記載の現像カートリッジ。
【請求項２６】
前記現像カバーは、前記第２駆動力受け部に対する前記現像カバーの回転方向を示す回転方向表示部を備えていることを特徴とする、請求項２１ないし２５のいずれか一項に記載の現像カートリッジ。
【発明の詳細な説明】
【技術分野】
【０００１】
本発明は、レーザプリンタなどの画像形成装置に備えられる感光体カートリッジおよび現像カートリッジに関する。
【背景技術】
【０００２】
画像形成装置に設けられるカートリッジとして、感光ドラムと、感光ドラムに供給するためのトナーを担持する現像ローラとを備えるプロセスカートリッジが知られている。
【０００３】
このようなプロセスカートリッジを、画像形成装置内に装着するときには、感光ドラムは、画像形成装置内の転写ローラと対向するように配置されるために、プロセスカートリッジからその一部が露出されている（例えば、特許文献１参照）。
【０００４】
また、このようなプロセスカートリッジが、感光ドラムを有するドラムカートリッジと現像ローラを有する現像カートリッジとに分離する場合には、現像ローラは、感光ドラムと対向するように配置されるために、現像カートリッジからその一部が露出されている（例えば、特許文献２参照）。
【先行技術文献】
【特許文献】
【０００５】
【特許文献１】特開２００８−２６８６８５号公報
【特許文献２】特開２００９−１６２９０５号公報
【発明の概要】
【発明が解決しようとする課題】
【０００６】
しかるに、上記した特許文献１に記載のプロセスカートリッジでは、感光ドラムが、プロセスカートリッジから露出されているので、紙粉やごみなどの付着物が付着する場合がある。このような付着物の多くは、画像形成装置にクリーニングユニットを設けることで除去されるが、クリーニングユニットだけでは除去しきれない場合がある。そうすると、画像形成時に、感光ドラムに形成される静電潜像に対して、現像ローラに担持されたトナーがうまく供給されない箇所が出てくるなど、画像形成不良を引き起こすという不具合がある。
【０００７】
そのような場合には、プロセスカートリッジを画像形成装置から離脱させ、手動により感光ドラムを回転させて、感光ドラム上の付着物が付着している部分を露出させて、付着物を除去することがある。
【０００８】
また、上記した特許文献２に記載のプロセスカートリッジでは、現像ローラが、現像カートリッジから露出されているので、紙粉やごみなど付着物が付着する場合がある。そうすると、画像形成時に、現像ローラが現像剤を担持することができない箇所が出てくるなど、画像形成不良を引き起こすという不具合がある。
【０００９】
そのような場合には、現像カートリッジを画像形成装置から離脱させ、手動により現像ローラを回転させて、現像ドラム上の付着物が付着している部分を露出させて、付着物を除去することがある。
【００１０】
しかし、感光ドラムおよび現像ローラは、画像形成装置からの駆動力が伝達されることにより、回転するように構成されているので、直接、手動により回転させるためには、大きな負荷がかかる。
【００１１】
そこで、本発明の目的は、感光体および現像ローラを、安全かつ容易に回転させることができ、感光体および現像ローラの品質を保つことのできる感光体カートリッジおよび現像カートリッジを提供することにある。
【課題を解決するための手段】
【００１２】
（１）上記した目的を達成するために、本発明の感光体カートリッジは、感光体と、感光体を回転させるための駆動力を受けるように構成される第１駆動力受け部と、感光体の表面の少なくとも一部を被覆する感光体カバーとを備えている。感光体カバーは、第１駆動力受け部に駆動を入力するための第１駆動力付与部を有している。
【００１３】
このような構成によれば、第１駆動力付与部が感光体カバーに設けられているので、感光体カバーを工具のように用いて、感光体を回転させることができる。
【００１４】
そのため、感光体に手が直接触れないので、安全に感光体を回転させることができ、また、感光体の一部に直接触れて回転させる場合と比較して、小さい力で回転させることができる。
【００１５】
また、感光体に手が直接触れることなく、感光体を回転させることができるので、感光体の品質を確保することができる。
【００１６】
その結果、感光体を安全かつ容易に回転させることができ、感光体の品質を保つことができる。
（２）本発明の現像カートリッジは、感光体と、感光体を回転させるための駆動力を受けるように構成される第１駆動力受け部とを備える感光体カートリッジに着脱可能であって、現像ローラと、現像ローラの表面の少なくとも一部を被覆する現像カバーとを備えている。現像カバーは、第１駆動力受け部に駆動を入力するための第１駆動力付与部を有している。
【００１７】
このような構成によれば、第１駆動力受け部に駆動を入力するための第１駆動力付与部を有する現像カバーを備える現像カートリッジは、感光体カートリッジに着脱可能に構成されている。
【００１８】
そのため、第１駆動力付与部が、感光体カートリッジとは別体として設けられる現像カートリッジの現像カバーに設けられているので、現像カバーを工具のように用いて、感光体を回転させることができる。
【００１９】
その結果、感光体に手が直接触れないので、安全に感光体を回転させることができ、また、感光体の一部に直接触れて回転させる場合と比較して、小さい力で回転させることができる。
【００２０】
また、感光体に手が直接触れることなく、感光体を回転させることができるので、感光体の品質を確保することができる。
【００２１】
従って、感光体を安全かつ容易に回転させることができ、感光体の品質を保つことができる。
（３）また、本発明の感光体カートリッジおよび現像カートリッジでは、第１駆動力付与部は、感光体カバーおよび現像カバーから突出する第１突起であってもよい。
【００２２】
このような構成によれば、第１突起を感光体の第１駆動力受け部に嵌合させることにより、第１駆動力付与部を第１駆動力受け部に対して容易に取り付けることができる。
（４）また、本発明の感光体カートリッジおよび現像カートリッジでは、第１突起は、第１駆動力受け部に嵌合するように構成される第１中央突起と、感光体カバーおよび現像カバーの長手方向における第１中央突起の両側に設けられ、第１駆動力受け部に嵌合するように構成される２つの第１側方突起とを備えていてもよい。
【００２３】
このような構成によれば、第１突起を感光体に取り付けるときには、第１中央突起を第１駆動力受け部に嵌合させるとともに、第１側方突起を第１駆動力受け部に嵌合させることができるので、複数の突起が第１駆動力受け部と嵌合される。
【００２４】
そのため、第１中央突起を第１駆動力受け部の中心に嵌合させることで回転軸とすることができ、その両側に設けられる第１側方突起によって、第１駆動力受け部に駆動力を付与することができる。
【００２５】
その結果、感光体カバーおよび現像カバーに加えた力を確実に感光体に伝達することができ、感光体を確実に回転させることができる。
（５）また、本発明の感光体カートリッジおよび現像カートリッジでは、第１中央突起は、第１側方突起よりも、感光体カバーおよび現像カバーから突出していてもよい。
【００２６】
このような構成によれば、第１突起を第１駆動力受け部に嵌合させるときに、まず、第１中央突起から第１駆動力受け部に嵌合させることができるので、第１中央突起によって位置決めしてから、第１側方突起を第１駆動力受け部に嵌合させることができる。
【００２７】
そのため、第１中央突起および第１側方突起を第１駆動力受け部に対して確実に嵌合させることができる。
（６）また、本発明の感光体カートリッジおよび現像カートリッジでは、感光体カバーおよび現像カバーは、樹脂からなり、第１中央突起は、中空であってもよい。
【００２８】
第１中央突起を中実に形成した場合には、感光体カバーおよび現像カバーは樹脂から形成されるので、第１中央突起の外側面にばりが出て、第１駆動力受け部との嵌合精度に不具合が発生する場合がある。しかし、このような構成によれば、第１中央突起は中空に形成されているので、形成上におけるばりを、第１中央突起の内側面に形成させることができるので、第１駆動力受け部と、第１中央突起との嵌合精度を確保することができる。
【００２９】
そのため、第１中央突起を第１駆動力受け部に対して確実に係合させることができる。
（７）また、本発明の感光体カートリッジおよび現像カートリッジでは、感光体カバーおよび現像カバーは、感光体の長手方向に沿って延び、第１駆動力付与部は、感光体カバーおよび現像カバーにおける長手方向の略中央に配置されていてもよい。
【００３０】
このような構成によれば、感光体カバーおよび現像カバーに力を加えて、感光体カバーおよび現像カバーの長手方向略中央の第１駆動力付与部を介して、第１駆動力受け部に伝達し、感光体を回転させることができる。
【００３１】
そのため、感光体カバーおよび現像カバーに加えた力を、感光体に確実に伝達することができ、容易に感光体を回転させることができる。
（８）また、本発明の感光体カートリッジおよび現像カートリッジでは、感光体カバーおよび現像カバーは、第１駆動力受け部に対する感光体カバーおよび現像カバーの回転方向を示す回転方向表示部を備えていてもよい。
【００３２】
このような構成によれば、感光体を回転させるべき方向を間違うことなく、第１駆動力受け部に駆動力を付与することができる。
【００３３】
その結果、感光体を確実に回転させることができる。
（９）上記した目的を達成するために、本発明の感光体カートリッジは、感光体と、感光体の表面の少なくとも一部を被覆する感光体カバーとを備え、現像カートリッジを着脱可能である。現像カートリッジは、現像ローラと、現像ローラを回転させるための駆動力を受けるように構成される第２駆動力受け部とを備え、感光体カバーは、第２駆動力受け部に駆動を入力するための第２駆動力付与部を有している。
【００３４】
このような構成によれば、第２駆動力受け部に駆動を入力するための第２駆動力付与部を有する感光体カバーを備える感光体カートリッジは、現像カートリッジを着脱可能に備えている。
【００３５】
そのため、第２駆動力付与部が、現像カートリッジとは別体として設けられる感光体カートリッジの感光体カバーに設けられているので、感光体カバーを工具のように用いて、現像ローラを回転させることができる。
【００３６】
その結果、現像ローラに直接手が触れないので、安全に現像ローラを回転させることができ、また、現像ローラの一部に直接触れて回転させる場合と比較して、小さい力で回転させることができる。
【００３７】
また、現像ローラに手が直接触れることなく、現像ローラを回転させることができるので、現像ローラの品質を確保することができる。
【００３８】
従って、現像ローラを安全かつ容易に回転させることができ、現像ローラの品質を保つことができる。
（１０）本発明の現像カートリッジは、現像ローラと、現像ローラを回転させるための駆動力を受けるように構成される第２駆動力受け部と、現像ローラの表面の少なくとも一部を被覆する現像カバーとを備えている。現像カバーは、第２駆動力受け部に駆動を入力するための第２駆動力付与部を有している。
【００３９】
このような構成によれば、第２駆動力付与部が現像カバーに設けられているので、現像カバーを工具のように用いて、現像ローラを回転させることができる。
【００４０】
そのため、現像ローラに直接手が触れないので、安全に現像ローラを回転させることができ、また、現像ローラの一部に直接触れて回転させる場合と比較して、小さい力で回転させることができる。
【００４１】
また、現像ローラに手が直接触れることなく、現像ローラを回転させることができるので、現像ローラの品質を確保することができる。
【００４２】
その結果、現像ローラを安全かつ容易に回転させることができ、現像ローラの品質を保つことができる。
（１１）また、本発明の感光体カートリッジおよび現像カートリッジでは、第２駆動力付与部は、感光体カバーから突出する第２突起であってもよい。
【００４３】
このような構成によれば、第２突起を現像カートリッジの第２駆動力受け部に嵌合させることにより、第２駆動力付与部を第２駆動力受け部に対して容易に取り付けることができる。
（１２）また、本発明の感光体カートリッジおよび現像カートリッジでは、第２突起は、第２駆動力受け部に嵌合するように構成される第２中央突起と、感光体カバーおよび現像カバーの長手方向における第２中央突起の両側に設けられ、第２駆動力受け部に嵌合するように構成される２つの第２側方突起とを備えていてもよい。
【００４４】
このような構成によれば、第２突起を現像カートリッジに取り付けるときには、第２中央突起を第２駆動力受け部に嵌合させるとともに、第２側方突起を第２駆動力受け部に嵌合させることができるので、複数の突起が第２駆動力受け部と嵌合される。
【００４５】
そのため、第２中央突起を第２駆動力受け部の中心に嵌合させることで回転軸とすることができ、その両側に設けられる第２側方突起によって、第２駆動力受け部に駆動力を付与することができる。
【００４６】
その結果、感光体カバーおよび現像カバーに加えた力を確実に現像ローラに伝達することができ、現像ローラを確実に回転させることができる。
（１３）また、本発明の感光体カートリッジおよび現像カートリッジでは、感光体カバーおよび現像カバーは、樹脂から形成されてもよい。
【００４７】
このような構成によれば、感光体カバーおよび現像カバーを樹脂から容易に形成することができる。
（１４）また、本発明の感光体カートリッジおよび現像カートリッジでは、感光体カバーおよび現像カバーは、現像ローラの長手方向に沿って延び、第２駆動力付与部は、感光体カバーおよび現像カバーにおける長手方向の略中央に配置されていてもよい。
【００４８】
このような構成によれば、感光体カバーおよび現像カバーに力を加えて、感光体カバーおよび現像カバーの長手方向略中央の第２駆動力付与部を介して、第２駆動力受け部に伝達し、現像ローラを回転させることができる。
【００４９】
そのため、感光体カバーおよび現像カバーに加えた力を、現像ローラに確実に伝達することができ、容易に現像ローラを回転させることができる。
（１５）また、本発明の感光体カートリッジおよび現像カートリッジでは、感光体カバーおよび現像カバーは、第２駆動力受け部に対する現像カバーの回転方向を示す回転方向表示部を備えていてもよい。
【００５０】
このような構成によれば、現像ローラを回転させるべき方向を間違うことなく、第２駆動力受け部に駆動力を付与することができる。
【００５１】
その結果、現像ローラを確実に回転させることができる。
【発明の効果】
【００５２】
本発明の感光体カートリッジまたは現像カートリッジでは、感光体または現像ローラを、安全かつ容易に回転させることができ、感光体の品質を保つことができる。
【図面の簡単な説明】
【００５３】
【図１】図１は、本発明の感光体カートリッジの第１実施形態としてのドラムカートリッジを備えるプリンタの中央断面図である。
【図２】図２は、図１に示すプロセスカートリッジの平面図である。
【図３】図３は、図１に示すプロセスカートリッジの側面図である。
【図４】図４は、図１に示すドラムカートリッジを左上側から見た斜視図である。
【図５】図５は、図１に示す現像カートリッジを左上側から見た斜視図である。
【図６】図６は、ドラムカバーが装着されたドラムカートリッジの平面図である。
【図７】図７は、図６に示すドラムカバーによる感光ドラムの回転動作を示す説明図である。
【図８】図８は、本発明の感光体カートリッジの第２実施形態におけるドラムカバーが装着されたドラムカートリッジの平面図である。
【図９】図９は、図８に示すドラムカバーによる現像ローラの回転動作を示す説明図である。
【図１０】図１０は、本発明の現像カートリッジの第３実施形態における現像カバーが装着された現像カートリッジの平面図である。
【図１１】図１１は、図１０に示す現像カバーによる感光ドラムの回転動作を示す説明図である。
【図１２】図１２は、本発明の現像カートリッジの第４実施形態における現像カバーが装着された現像カートリッジの平面図である。
【図１３】図１３は、図１２に示す現像カバーによる現像ローラの回転動作を示す説明図である。
【発明を実施するための形態】
【００５４】
１．プリンタの全体構成
図１に示すように、画像形成装置の一例としてのプリンタ１は、横置きタイプのダイレクトタンデム型カラープリンタである。
【００５５】
なお、以下の説明において、プリンタ１の方向に言及するときには、プリンタ１を水平に載置した状態を上下の基準とする。すなわち、図１の紙面上側が上側であり、紙面下側が下側である。また、図１の紙面右側が前側であり、図１の紙面左側が後側である。また、プリンタ１を前側から見たときを左右の基準とする。すなわち、図１の紙面手前側が左側であり、紙面奥側が右側である。なお、上下方向は第１方向の一例であり、前後方向は第２方向の一例であり、左右方向は第３方向の一例である。また、上側は第１方向の一方側の一例であり、下側は第１方向の他方側の一例である。また、前側は第２方向の一方側の一例であり、後側は第２方向の他方側の一例である。また、右側は第３方向の一方側の一例であり、左側は第３方向の他方側の一例である。
【００５６】
プリンタ１は、略ボックス形状の本体ケーシング２を備えている。本体ケーシング２の上端部には、本体開口部３を開閉するトップカバー４が、その後端部を支点として揺動可能に設けられている。プリンタ１は、複数（４つ）のプロセスカートリッジ５を備えている。
【００５７】
すべてのプロセスカートリッジ５は、本体ケーシング２内に着脱可能に設けられ、互いに間隔を隔てて並列配置されている。また、複数（４つ）のプロセスカートリッジ５は、それぞれ、複数（４つ）の色（ブラック、イエロー、マゼンタ、シアン）のうちの１つに対応している。
【００５８】
プロセスカートリッジ５は、感光体カートリッジの一例としてのドラムカートリッジ６と、ドラムカートリッジ６に着脱可能に装着される現像カートリッジ７とを備えている。
【００５９】
ドラムカートリッジ６は、感光体の一例としての感光ドラム８と、スコロトロン型帯電器９とを備えている。
【００６０】
感光ドラム８は、ドラムカートリッジ６の後端部に回転可能に設けられている。感光ドラム８は、左右方向に長手の略円筒形状に形成されている。
【００６１】
スコロトロン型帯電器９は、感光ドラム８の後上側に対向配置されている。
【００６２】
現像カートリッジ７は、現像ローラ１１と、現像ローラ１１にトナーを供給する供給ローラ１２とを備えている。
【００６３】
現像ローラ１１は、左右方向に延びる金属製の現像ローラ軸２５と、その現像ローラ軸２５を被覆するゴムローラ２６とを備えている。
【００６４】
現像ローラ１１は、その現像ローラ軸２５の左右方向両端部が、後述する現像フレーム５１の両現像側壁５６に支持され、現像カートリッジ７の後端部において後側から露出されるように、感光ドラム８に対して前上側から接触されている。
【００６５】
供給ローラ１２は、現像ローラ１１のゴムローラ２６に対して、前上側から対向接触されている。
【００６６】
また、現像カートリッジ７は、現像ローラ１１のゴムローラ２６に供給されたトナーの厚みを規制する層厚規制ブレード１３を備えている。また、現像カートリッジ７には、現像ローラ１１および供給ローラ１２の上側において、トナーが収容されている。
【００６７】
そして、現像カートリッジ７内のトナーは、供給ローラ１２と現像ローラ１１との間で正極性に摩擦帯電され、層厚規制ブレード１３により、一定厚さの薄層として現像ローラ１１の表面に担持される。
【００６８】
一方、感光ドラム８の表面は、スコロトロン型帯電器９によって一様に帯電された後、感光ドラム８の上側に対向配置されるＬＥＤユニット１０によって所定の画像データに基づいて露光される。これにより、感光ドラム８の表面には、画像データに基づく静電潜像が形成される。そして、現像ローラ１１に担持されるトナーが感光ドラム８の表面上の静電潜像に供給されることにより、感光ドラム８の表面上にトナー像が担持される。
【００６９】
用紙Ｓは、本体ケーシング２の底部に設けられる給紙トレイ１８内に収容されており、各種ローラによって、後上側へＵターンするように搬送されて、所定のタイミングで１枚ずつ、感光ドラム８と搬送ベルト１９との間に給紙される。そして、搬送ベルト１９によって、すべての感光ドラム８とすべての転写ローラ２０との間を前側から後側に向かって搬送される。このとき、用紙Ｓにトナー像が転写される。
【００７０】
そして、用紙Ｓは、加熱ローラ２１と加圧ローラ２２との間を通過するときに加熱および加圧される。このとき、用紙Ｓには、トナー像が熱定着される。
【００７１】
その後、用紙Ｓは、前上側へＵターンするように搬送されて、トップカバー４に設けられる排紙トレイ２３に排紙される。
２．プロセスカートリッジ
プロセスカートリッジ５は、図２および図３に示すように、上記したように、ドラムカートリッジ６と現像カートリッジ７とを備えている。
【００７２】
なお、以下のプロセスカートリッジ５、ドラムカートリッジ６、および、現像カートリッジ７の説明において、方向について言及するときには、プロセスカートリッジ５を水平に載置した状態を前後の基準とする。すなわち、感光ドラム８が配置されている側を後側とし、その反対側を前側とする。また、スコロトロン型帯電器９が設けられている側を上側とし、その反対側を下側とする。なお、前後方向は第４方向の一例であり、上下方向は第５方向の一例である。また、後側は第４方向の一方側の一例であり、前側は第４方向の他方側の一例である。また、上側は第５方向の一方側の一例であり、下側は第５方向の他方側の一例である。すなわち、プロセスカートリッジ５に関する上下前後方向は、プリンタ１に関する上下方向と若干異なり、プロセスカートリッジ５は、その後側がプリンタ１の後下側、その前側がプリンタ１の前上側となるように、プリンタ１に装着されている。
（１）ドラムカートリッジ
（１−１）ドラムフレーム
ドラムカートリッジ６は、図４に示すように、略矩形有底枠形状に形成されるドラムフレーム３１を備えている。
【００７３】
ドラムフレーム３１は、左右１対のドラム側壁３２と、ドラム前壁３３と、ドラム下壁３５と、ドラム上壁３４を備えている。
【００７４】
両ドラム側壁３２は、前後方向に延びる側面視略矩形平板形状に形成され、互いに左右方向に間隔を隔てて対向配置されている。また、両ドラム側壁３２には、後述する現像カートリッジ７の駆動入力カップリング６１を露出する露出溝３７が形成されている。
【００７５】
各露出溝３７は、両ドラム側壁３２の前後方向略中央において、上端縁から下方に向かって切り欠かれるように、上側が開放される側面視略Ｕ字形状に形成されている。
【００７６】
ドラム前壁３３は、左右方向に延び、両ドラム側壁３２の前端部間に架設される略平板形状に形成されている。
【００７７】
ドラム下壁３５は、ドラム前壁３３の下端部に連続して前側へ延び、両ドラム側壁３２の下端部間に架設される略平板形状に形成されている。
【００７８】
ドラム上壁３４は、両ドラム側壁３２の後側部分における上端部間に架設される左右方向に延びる略平板形状に形成されている。また、ドラム上壁３４には、スコロトロン型帯電器９が支持されている。
【００７９】
また、ドラムフレーム３１において、ドラム下壁３５の前側半分と、そのドラム下壁３５の前側半分に対応する両ドラム側壁３２と、ドラム前壁３３と、ドラム上壁３４の前端縁とによって、現像カートリッジ７を装着するための現像カートリッジ装着部３６が区画されている。
【００８０】
また、ドラムフレーム３１において、ドラム下壁３５の後側半分と、そのドラム下壁３５の後側半分に対応する両ドラム側壁３２と、ドラム上壁３４とによって、感光ドラム８が収容される感光ドラム収容部４２が区画されている。
（１−２）感光ドラム
感光ドラム８は、感光ドラム収容部４２に収容されている。感光ドラム８は、ドラム本体４３と、第１駆動力受け部の一例としての駆動力受け部４４と、ドラム軸４５とを備えている。
【００８１】
ドラム本体４３は、図１に示すように、左右方向に延びる略円筒形状に形成されている。ドラム本体４３は、ドラム下壁３５の後端部と、ドラム上壁３４の後端部との間から露出されている。
【００８２】
駆動力受け部４４は、図４に示すように、略円板形状に形成され、感光ドラム８の左端部において、ドラム本体４３と相対回転不能に設けられており、左側のドラム側壁３２の後側部分の側面視略中央部分を貫通するようにして、露出されている。駆動力受け部４４の外径は、ドラム本体４３の外径よりも小さい。また、駆動力受け部４４は、図３および図４に示すように、中心軸穴４６と、複数（４つ）の切欠溝４７とを備えている。
【００８３】
中心軸穴４６は、駆動力受け部４４の側面視略中央部分において、駆動力受け部４４の左面から右方に向かって側面視略円形に窪むように形成されている。
【００８４】
複数の切欠溝４７は、駆動力受け部４４において、中心軸穴４６を中心として、中心軸穴４６の周りに９０°毎に４つ設けられている。切欠溝４７は、駆動力受け部４４の左端面から右方に向かって側面視略矩形状に窪むとともに、駆動力受け部４４の径方向に向かって開放されるように形成されている。
【００８５】
そして、駆動力受け部４４には、ドラムカートリッジ６が本体ケーシング２内に装着された状態で、本体ケーシング２からの図示しない駆動入力部の先端が相対回転不能に挿入され、図示しない駆動入力部を介して、本体ケーシング２からの駆動力が入力される。また、駆動力受け部４４には、後述するドラムカバー８０の第１駆動力付与突起８８を嵌合させ、感光ドラム８を回転させる駆動力を加えることができる。
【００８６】
ドラム軸４５は、図２および図４に示すように、感光ドラム８の中心軸線に沿うように、左右方向に延びる略円柱形状に形成されており、その右端部が、右側のドラム側壁３２の側面視略中央を貫通するようにして、露出されている。
（２）現像カートリッジ
現像カートリッジ７は、図５に示すように、現像フレーム５１と、現像フレーム５１の左側に配置される駆動ユニット５２と、現像フレーム５１の右側に配置される電極ユニット５３とを備えている。
【００８７】
現像フレーム５１は、左右方向に延びる略ボックス形状に形成されている。現像フレーム５１は、現像フレーム５１の下側を構成する下フレーム５４と、現像フレーム５１の上側を構成する上フレーム５５とを備えている。
【００８８】
下フレーム５４は、左右１対の現像側壁５６と、現像前壁５７と、現像下壁５８とを一体的に備え、上側および後側に向かって開放される有底枠形状に形成されている。
【００８９】
両現像側壁５６は、前後方向に延びる側面視略矩形状に形成され、互いに左右方向に間隔を隔てて対向配置されている。
【００９０】
現像前壁５７は、左右方向に延び、両現像側壁５６の前端部間に架設されている。
【００９１】
現像下壁５８は、左右方向に延び、現像前壁５７の下端部に連続するように、両現像側壁５６の下端部間に架設されている。
【００９２】
上フレーム５５は、両現像側壁５６の前側部分および現像前壁５７の上端部に連結され、平面視略矩形平板形状に形成されている。上フレーム５５の後端部には、層厚規制ブレード１３が、現像ローラ１１に上側から接触されるように配置されている。
【００９３】
駆動ユニット５２は、駆動入力カップリング６１と、駆動側カバー６２とを備えている。
【００９４】
駆動入力カップリング６１は、第２駆動力受け部の一例としてのカップリング部６３と、カップリングカラー６４とを備えている。
【００９５】
カップリング部６３は、左側の現像側壁５６の左側に回転可能に支持され、左右方向に延びる略円柱形状に形成されている。カップリング部６３の左面には、結合凹部６５が形成されている。また、カップリング部６３の右端部には、ギア部６６が設けられている。
【００９６】
結合凹部６５は、カップリング部６３の左面から右側へ略円形状に凹むように、形成されている。結合凹部６５の内周面には、１対の膨出部６７が形成されている。
【００９７】
１対の膨出部６７は、結合凹部６５の内周面において対向し、互いに近づくように膨出している。１対の膨出部６７は、互いに近づくに従って、その結合凹部６５の径方向における幅が短くなる側面視略三角形状に形成されている。膨出部６７には、カップリング部６３が左側面視時計回りに回転されたときの回転方向上流側に、当接面６８が区画されている。
【００９８】
結合凹部６５には、現像カートリッジ７が本体ケーシング２内に装着された状態で、本体ケーシング２内に備えられる図示しない本体カップリングの先端が相対回転不能に挿入され、図示しない本体カップリングを介して、本体ケーシング２から駆動力が入力される。
【００９９】
ギア部６６は、カップリング部６３の外周面の全周にわたって設けられている。ギア部６６は、図示しないギア列を介して、現像ローラ１１および供給ローラ１２に駆動力を伝達する。
【０１００】
駆動側カバー６２は、左右方向に延び、左端部が閉鎖された略角筒形状に形成されている。駆動側カバー６２は、現像カートリッジ７の左側の現像側壁５６とほぼ同じサイズ、すなわち、前後方向長さおよび上下方向長さが略同一となるように形成されている。
【０１０１】
カップリングカラー６４は、駆動側カバー６２の前後方向略中央の左壁から左側へ突出する略円筒形状に形成されている。カップリングカラー６４の内径は、カップリング部６３の左端部の外径と略同径（わずかに大径）である。
【０１０２】
そして、駆動側カバー６２は、カップリングカラー６４内にカップリング部６３の左端部が嵌合されるように、左側の現像側壁５６にねじ止めされている。
【０１０３】
電極ユニット５３は、電極側カバー７２を備えている。
【０１０４】
電極側カバー７２には、前後方向に延びる側面視略矩形平板形状に形成されている。電極側カバー７２は、現像カートリッジ７の右側の現像側壁５６とほぼ同じサイズ、すなわち、前後方向長さおよび上下方向長さが略同一となるように形成されている。電極側カバー７２は、右側の現像側壁５６にねじ止めされている。
【０１０５】
現像カートリッジ７に設けられる現像ローラ１１の現像ローラ軸２５の左右方向両端部には、現像軸カラー２７が設けられている。
【０１０６】
現像軸カラー２７は、略円筒形状に形成され、現像ローラ軸２５の左右方向両端部を被覆するように、現像ローラ軸２５の左右方向両端部に挿通されている。なお、左側の現像軸カラー２７は、駆動側カバー６２を貫通するように、駆動側カバー６２よりも左側へ突出しており、右側の現像軸カラー２７は、電極側カバー７２を貫通するように、電極側カバー７２よりも右側へ突出している。
３．現像カートリッジのドラムカートリッジに対する着脱
本体ケーシング２にプロセスカートリッジ５を装着するには、まず、ドラムカートリッジ６に現像カートリッジ７を装着する。
【０１０７】
ドラムカートリッジ６に現像カートリッジ７を装着するには、図３に示すように、現像カートリッジ７の後端部が下側に配置されるように現像カートリッジ７を把持し、現像カートリッジ７の後端部を、現像カートリッジ装着部３６の後端部内に上側から挿入する。
【０１０８】
次いで、現像カートリッジ７を、現像軸カラー２７の中心軸線を支点として、左側面視時計回り方向に回動させるように、現像カートリッジ装着部３６内に挿入する。
【０１０９】
そして、さらに現像カートリッジ７の前端部を現像カートリッジ装着部３６の前端部内に押し込むと、現像カートリッジ７は、その後端部を支点として、その前端部が左側面視時計回り方向に回動されて、現像カートリッジ装着部３６内に完全に収容される。
【０１１０】
このとき、カップリングカラー６４は、露出溝３７内に配置される。
【０１１１】
以上により、ドラムカートリッジ６に対する現像カートリッジ７の装着が完了する。
【０１１２】
また、ドラムカートリッジ６から現像カートリッジ７を離脱させるには、ドラムカートリッジ６の前端部を押さえながら、現像カートリッジ７の前端部を把持して、現像カートリッジ７を、その後端部を支点として左側面視反時計回り方向に回動させる。
【０１１３】
すると、現像カートリッジ７の前端部が現像カートリッジ装着部３６から上側へ離脱される。
【０１１４】
以上により、ドラムカートリッジ６からの現像カートリッジ７の離脱が完了する。
【０１１５】
そして、本体ケーシング２にプロセスカートリッジ５を装着するには、図１に示すように、トップカバー４を開放して、プロセスカートリッジ５を、本体ケーシング２内の所定の位置において、その後側がプリンタ１の後下側、その前側がプリンタ１の前上側となるように、上側から装着する。
【０１１６】
これにより、プロセスカートリッジ５の本体ケーシング２への装着が完了する。
４．ドラムカバー
ドラムカートリッジ６が出荷・搬送される場合には、図６に示すように、ドラムカートリッジ６のドラムフレーム３１には、ドラムフレーム３１の後端部から露出する感光ドラム８を被覆して保護するために、感光体カバーの一例としてのドラムカバー８０が装着される。
【０１１７】
ドラムカバー８０は、図６および図７に示すように、樹脂材料（例えば、ポリプロピレン材）などの高分子材料から形成され、左右方向に延び、側面視略扇形の部分円筒形状に形成されている。ドラムカバー８０は、ドラムカートリッジ６に装着されたときに、ドラムフレーム３１の後端部を被覆するように、形成されている。
【０１１８】
また、ドラムカバー８０は、ドラムカバー本体部８１と、ドラムカバー左側壁８２と、ドラムカバー右側壁８３とを一体的に備えている。
【０１１９】
ドラムカバー本体部８１は、ドラムカバー上壁８４と、ドラムカバー後壁８５と、ドラム本体保護部８６とを備えている。
【０１２０】
ドラムカバー上壁８４は、ドラムカバー８０の上側部分を形成し、左右方向に長手の平面視略矩形平板形状に形成されている。また、ドラムカバー上壁８４は、膨出部８７を備えている。
【０１２１】
膨出部８７は、ドラムカバー上壁８４の左右方向両端部を除く前端縁から連続して、上方に向かって膨出し、左右方向両端部が閉鎖された側断面視略Ｌ字状の部分円筒形状に形成されている。
【０１２２】
ドラムカバー後壁８５は、ドラムカバー上壁８４の後端部から連続して、下方に向かって延び、その下端部から、前下側に向かって延びる正面視略矩形平板形状に形成されている。ドラムカバー後壁８５は、第１駆動力付与部および第１突起の一例としての第１駆動力付与突起８８と、回転方向表示部の一例としての回転方向表示矢印８９とを備えている。
【０１２３】
第１駆動力付与突起８８は、駆動力受け部４４を介して感光ドラム８に駆動力を入力するために設けられている。第１駆動力付与突起８８は、第１中央突起９１と、複数、すなわち２つの第１側方突起９２とを備えている。
【０１２４】
第１中央突起９１は、ドラムカバー後壁８５の左右方向略中央における後面から、後方に向かって突出する略円筒形状に形成されている。第１中央突起９１の外径は、中心軸穴４６の内径よりもわずかに小さい。また、第１中央突起９１の内周面は、中空部分９３として区画されている。
【０１２５】
２つの第１側方突起９２は、第１中央突起９１の左右方向両外側に設けられ、ドラムカバー後壁８５の後面から、後方に向かって突出する略円柱形状に形成されている。第１側方突起９２は、その外径が、第１中央突起９１の外径よりも小さく、その前後方向長さが、第１中央突起９１の前後方向長さよりも小さい。また、第１側方突起９２の外径は、切欠溝４７の内寸よりもわずかに小さい。
【０１２６】
回転方向表示矢印８９は、ドラムカバー後壁８５の後面から後方に向かって膨出するように設けられており、後面視において、反時計回りを示す矢印形状に形成されている。具体的には、左側の第１側方突起９２の左側においては、上向きの矢印が設けられ、右側の第１側方突起９２の右側においては、下向きの矢印が設けられている。
【０１２７】
ドラム本体保護部８６は、ドラムカバー後壁８５の下端部から連続して、感光ドラム８の外周面に沿うように、前方に向かって湾曲され、その後、前方に向かって延びる側断面視略Ｃ字状に形成されている。
【０１２８】
ドラムカバー左側壁８２は、ドラムカバー８０の左端部に設けられている。ドラムカバー左側壁８２は、円弧部９５と、連結部９６とを備えている。
【０１２９】
円弧部９５は、前側が開放された側面視略Ｕ字状の略平板形状に形成されている。なお、円弧部９５の後上側端部から、後端部、下端部にわたって、ドラムカバー本体部８１の左端縁と連続されている。円弧部９５の内径は、感光ドラム８の駆動力受け部４４の外径よりも大きい。また、円弧部９５は、係止爪９７を備えている。
【０１３０】
係止爪９７は、円弧部９５の前上側端部から、左方に向かって延びる略角柱形状に形成されている。
【０１３１】
連結部９６は、円弧部９５の開放部分を連結するように、円弧部９５の前上側部分と、円弧部９５の前下側部分との間に架設されている。詳しくは、連結部９６は、円弧部９５の前上側部分から左方に向かって延び、その左端部から下方に向かって延び、その下端部から右方に向かって延びて、円弧部９５の前下側部分に連結される正面視略コ字状の略平板形状に形成されている。
【０１３２】
ドラムカバー右側壁８３は、ドラムカバー８０の左端部に設けられ、弾性変形可能な平板形状に形成されている。ドラムカバー右側壁８３は、ドラム側面保護部９８と、操作部９９とを備えている。
【０１３３】
ドラム側面保護部９８は、ドラム本体保護部８６の右端縁から連続して、前方に向かって延びる側面視略矩形平板形状に形成されている。
【０１３４】
操作部９９は、ドラムカバー後壁８５の垂直部分における右端縁から連続して、前方に向かって延びる側面視略矩平板形状に形成されている。
【０１３５】
ドラム側面保護部９８の前側部分における上端縁と、操作部９９の前側部分における下端縁とは、連結部１００により連結されている。
【０１３６】
連結部１００は、側面視略矩形平板形状に形成されており、その上端縁が、操作部９９の前側部分における下端縁と連結され、その下端縁が、ドラム側面保護部９８の前側部分における上端縁と連結されている。
【０１３７】
そして、ドラム側面保護部９８の後側部分と、操作部９９と、連結部１００とによって、ドラム軸受入穴１０１を区画している。
５．ドラムカバーのドラムカートリッジに対する着脱
ドラムカバー８０をドラムカートリッジ６に装着するには、まず、ドラムカートリッジ６の後方から、ドラムカバー８０のドラムカバー左側壁８２をドラムカートリッジ６に引っ掛ける。詳しくは、ドラムカバー８０のドラムカバー左側壁８２を、ドラムカートリッジ６の左側に近づけて、ドラムカバー左側壁８２の係止爪９７を、ドラムカートリッジ６のドラムフレーム３１のドラム上壁３４の前左側端部に、前側から当接させる。
【０１３８】
これにより、ドラムカートリッジ６に対して、ドラムカバー左側壁８２が係止される。
【０１３９】
次いで、操作部９９を把持して、ドラムカバー８０のドラムカバー左側壁８２とドラムカバー右側壁８３との間隔が広がるように、弾性変形させながら、ドラムカバー右側壁８３をドラムカートリッジ６に近づける。
【０１４０】
そして、左右方向に投影したときに、ドラム軸受入穴１０１内にドラム軸４５が配置される位置までドラムカバー右側壁８３を移動させた後、操作部９９を離すことにより、ドラムカバー８０が復元され、ドラム軸４５がドラム軸受入穴１０１に挿通される。
【０１４１】
これにより、ドラムカートリッジ６に対して、ドラムカバー右側壁８３が係止される。
【０１４２】
これにより、ドラムカバー８０のドラムカートリッジ６に対する装着が完了する。
【０１４３】
ドラムカバー８０をドラムカートリッジ６から離脱させるには、上記した手順と逆の手順で操作する。
【０１４４】
具体的には、操作部９９を把持して、ドラムカバー８０のドラムカバー左側壁８２とドラムカバー右側壁８３との間隔が広がるように、弾性変形させながら、ドラムカバー右側壁８３をドラムカートリッジ６から離間させる。
【０１４５】
次いで、ドラム上壁３４に対する係止爪９７の当接を解除する。
【０１４６】
これにより、ドラムカバー８０のドラムカートリッジ６に対する離脱が完了する。
６．ドラムカバーによる感光ドラムの回転
感光ドラム８が原因となる画像形成不良などが発生した場合には、感光ドラム８を回転させて、感光ドラム８の表面をドラムフレーム３１から露出させ、感光ドラム８の表面の紙粉やごみを除去する。
【０１４７】
このような場合には、図７に示すように、ドラムカバー８０に設けられる第１駆動力付与突起８８を、感光ドラム８の駆動力受け部４４に嵌合させて、ドラムカバー８０を所定の方向に回転させることによって、感光ドラム８の表面の任意の箇所を、ドラムフレーム３１から露出させる。
【０１４８】
具体的には、まず、第１中央突起９１の先端を中心軸穴４６に嵌合させる。
【０１４９】
次いで、ドラムカバー８０を感光ドラム８に対して、さらに押し込む。
【０１５０】
すると、駆動力受け部４４の左面に、第１側方突起９２の先端が当接されるので、第１中央突起９１を中心軸として、ドラムカバー８０を回転させて、左右方向に投影したときに、第１側方突起９２が切欠溝４７と重なる位置に配置する。
【０１５１】
そして、ドラムカバー８０を感光ドラム８に対してさらに押し込むと、第１側方突起９２が切欠溝４７に嵌合される。
【０１５２】
これにより、第１駆動力付与突起８８の駆動力受け部４４に対する嵌合が完了する。
【０１５３】
そして、第１中央突起９１を中心軸として、ドラムカバー後壁８５の回転方向表示矢印８９の矢印の向きに沿って、ドラムカバー８０を回転させる。
【０１５４】
これによって、感光ドラム８が回転され、ドラムフレーム３１から任意の部分が露出される。
６．作用効果
（１）本発明のドラムカートリッジ６によれば、図６または図７に示すように、第１駆動力付与突起８８がドラムカバー８０に設けられているので、ドラムカバー８０を工具のように用いて、感光ドラム８を回転させることができる。
【０１５５】
そのため、感光ドラム８に手が直接触れないので、安全に感光ドラム８を回転させることができ、また、感光ドラム８の一部に直接触れて回転させる場合と比較して、小さい力で回転させることができる。
【０１５６】
また、感光ドラム８に手が直接触れることなく、感光ドラム８を回転させることができるので、感光ドラム８の品質を確保することができる。
【０１５７】
その結果、感光ドラム８を安全かつ容易に回転させることができ、感光ドラム８の品質を保つことができる。
（２）また、このドラムカートリッジ６によれば、図７に示すように、突起からなる第１駆動力付与突起８８を感光ドラム８の駆動力受け部４４に嵌合させることにより、第１駆動力付与突起８８を駆動力受け部４４に対して容易に取り付けることができる。
（３）また、このドラムカートリッジ６によれば、図７に示すように、第１駆動力付与突起８８を感光ドラム８に取り付けるときには、第１中央突起９１を駆動力受け部４４の中心軸穴４６に嵌合させるとともに、第１側方突起９２を駆動力受け部４４の切欠溝４７に嵌合させることができるので、複数の突起が駆動力受け部４４と嵌合される。
【０１５８】
そのため、第１中央突起９１を駆動力受け部４４の中心に嵌合させることで回転軸とすることができ、その両側に設けられる第１側方突起９２によって、駆動力受け部４４に駆動力を付与することができる。
【０１５９】
その結果、ドラムカバー８０に加えた力を確実に感光ドラム８に伝達することができ、感光ドラム８を確実に回転させることができる。
（４）また、このドラムカートリッジ６によれば、図７に示すように、第１駆動力付与突起８８を駆動力受け部４４に嵌合させるときに、まず、第１中央突起９１から駆動力受け部４４の中心軸穴４６に嵌合させることができるので、第１中央突起９１によって位置決めしてから、第１側方突起９２を駆動力受け部４４の切欠溝４７に嵌合させることができる。
【０１６０】
そのため、第１中央突起９１および第１側方突起９２を駆動力受け部４４に対して確実に嵌合させることができる。
（５）また、このドラムカートリッジ６によれば、図６に示すように、第１中央突起９１を中実に形成した場合には、ドラムカバー８０は樹脂から形成されるので、第１中央突起９１の外側面にばりが出て、駆動力受け部４４との嵌合精度に不具合が発生する場合がある。しかし、第１中央突起９１は中空部分９３を有するように形成されているので、形成上におけるばりを、第１中央突起９１の内側面に形成させることができるので、駆動力受け部４４の中心軸穴４６と、第１中央突起９１との嵌合精度を確保することができる。
【０１６１】
そのため、第１中央突起９１を駆動力受け部４４の中心軸穴４６に対して確実に係合させることができる。
（６）また、このドラムカートリッジ６によれば、図７に示すように、ドラムカバー８０は、左右方向に長手に形成されており、その中央に第１駆動力付与突起８８を備えているので、ドラムカバー８０に力を加えて、第１駆動力付与突起８８を介して、駆動力受け部４４に伝達し、感光ドラム８を回転させることができる。
【０１６２】
そのため、ドラムカバー８０を把持して力を加えることができ、ドラムカバー８０に加えた力を、感光ドラム８に確実に伝達することができるので、容易に感光ドラム８を回転させることができる。
（７）また、このドラムカートリッジ６によれば、図７に示すように、ドラムカバー８０は、駆動力受け部４４に対するドラムカバー８０の回転方向を示す回転方向表示矢印８９が設けられているので、感光ドラム８を回転させるべき方向を間違うことなく、駆動力受け部４４に駆動力を付与することができる。
【０１６３】
その結果、感光ドラム８を確実に回転させることができる。
７．第２実施形態
図８および図９を参照して、第２実施形態を説明する。なお、第２実施形態において、上記した第１実施形態と同様の部材には同様の符号を付し、その説明を省略する。
【０１６４】
上記した第１実施形態では、感光ドラム８を保護するドラムカバー８０を用いて感光ドラム８を回転させていたが、感光ドラム８を保護するドラムカバー８０を用いて現像ローラ１１を回転させてもよい。
（１）ドラムカバー
第１実施形態では、図６に示すように、ドラムカバー８０は、第１駆動力付与突起８８と、回転方向表示矢印８９とを備えている。
【０１６５】
これに対して、第２実施形態では、図８に示すように、ドラムカバー８０は、第２駆動力付与部および第２突起の一例としての第２駆動力付与突起１０４と、回転方向表示部の一例としての回転方向表示矢印１０５とを備えている。
【０１６６】
具体的には、第２駆動力付与突起１０４と、回転方向表示矢印１０５とは、ドラムカバー８０のドラムカバー後壁８５に設けられている。
【０１６７】
第２駆動力付与突起１０４は、カップリング部６３を介して、現像ローラ１１に駆動力を入力するために設けられている。第２駆動力付与突起１０４は、第２中央突起１０６と、複数、すなわち２つの第２側方突起１０７とを備えている。
【０１６８】
第２中央突起１０６は、ドラムカバー後壁８５の左右方向略中央における後面から、後方に向かって突出する略円柱形状に形成されている。第２中央突起１０６の外径は、カップリング部６３の結合凹部６５における１対の膨出部６７間の長さよりもわずかに小さい。
【０１６９】
２つの第２側方突起１０７は、第２中央突起１０６の左右方向両外側と連続するように、ドラムカバー後壁８５の後面から後方に向かって突出する略角柱形状に形成されている。第２側方突起１０７は、その上下左右方向長さが、第２中央突起１０６の外径よりも小さく、その前後方向長さが、第２中央突起１０６の前後方向長さと略同一である。また、２つの第２側方突起１０７の左右方向両外側間の長さは、結合凹部６５の直径よりもわずかに小さい。
【０１７０】
回転方向表示矢印１０５は、ドラムカバー後壁８５の後面から後方に向かって膨出するように設けられており、後面視において、反時計回りを示す矢印形状に形成されている。具体的には、左側の第２側方突起１０７の左側においては、上向きの矢印が設けられ、右側の第２側方突起１０７の右側においては、下向きの矢印が設けられている。
（２）ドラムカバーによる現像ローラの回転
現像ローラ１１が原因となる画像形成不良などが発生した場合には、現像ローラ１１を回転させて、現像ローラ１１の表面を現像フレーム５１から露出させ、現像ローラ１１の表面の紙粉やごみを除去する。
【０１７１】
このような場合には、図９に示すように、ドラムカバー８０に設けられる第２駆動力付与突起１０４を、現像カートリッジ７のカップリング部６３に嵌合させて、ドラムカバー８０を所定の方向に回転させることによって、現像ローラ１１の表面の任意の箇所を、現像フレーム５１から露出させる。
【０１７２】
具体的には、第２駆動力付与突起１０４を、カップリング部６３の結合凹部６５に対して、２つの第２側方突起１０７が膨出部６７と接触しないように、嵌合させる。
【０１７３】
そして、第２中央突起１０６を中心軸として、ドラムカバー後壁８５の回転方向表示矢印１０５の矢印の向きに沿って、ドラムカバー８０を回転させる。
【０１７４】
そうすると、第２側方突起１０７が、結合凹部６５に形成される膨出部６７の当接面６８に当接され、膨出部６７を左側面視時計回りに回転させることにより、カップリング部６３を回転させる。
【０１７５】
これによって、カップリング部６３のギア部６６が、図示しないギア列を介して、現像ローラ１１に駆動力を伝達する。
【０１７６】
こうして、現像ローラ１１が回転され、現像フレーム５１から任意の部分が露出される。
（３）第２実施形態の効果
（３−１）第２実施形態によれば、図８に示すように、カップリング部６３に駆動を入力するための第２駆動力付与突起１０４を有するドラムカバー８０を備えるドラムカートリッジ６は、現像カートリッジ７を着脱可能に備えている。
【０１７７】
そのため、第２駆動力付与突起１０４が、現像カートリッジ７とは別体として設けられるドラムカートリッジ６のドラムカバー８０に設けられているので、ドラムカバー８０を工具のように用いて、現像ローラ１１を回転させることができる。
【０１７８】
その結果、現像ローラ１１に直接手が触れないので、安全に現像ローラ１１を回転させることができ、また、現像ローラ１１の一部に直接触れて回転させる場合と比較して、小さい力で回転させることができる。
【０１７９】
また、現像ローラ１１に手が直接触れることなく、現像ローラ１１を回転させることができるので、現像ローラ１１の品質を確保することができる。
【０１８０】
従って、現像ローラ１１を安全かつ容易に回転させることができ、現像ローラ１１の品質を保つことができる。
（３−２）また、第２実施形態によれば、図８に示すように、突起からなる第２駆動力付与突起１０４を現像カートリッジ７のカップリング部６３に嵌合させることにより、第２駆動力付与突起１０４をカップリング部６３に対して容易に取り付けることができる。
（３−３）また、第２実施形態によれば、図９に示すように、第２駆動力付与突起１０４を現像カートリッジ７に取り付けるときには、第２中央突起１０６をカップリング部６３の結合凹部６５に嵌合させるとともに、第２側方突起１０７をカップリング部６３の結合凹部６５に嵌合させることができるので、複数の突起がカップリング部６３と嵌合される。
【０１８１】
そのため、第２中央突起１０６をカップリング部６３の中心に嵌合させることで回転軸とすることができ、その両側に設けられる第２側方突起１０７によって、カップリング部６３に駆動力を付与することができる。
【０１８２】
その結果、ドラムカバー８０に加えた力を確実に現像ローラ１１に伝達することができ、感光体を確実に回転させることができる。
（３−４）また、第２実施形態によれば、図８に示すように、ドラムカバー８０を樹脂から容易に形成することができる。
（３−５）また、第２実施形態によれば、図９に示すように、ドラムカバー８０は、左右方向に長手に形成されており、その中央に第２駆動力付与突起１０４を備えているので、ドラムカバー８０に力を加えて、第２駆動力付与突起１０４を介して、カップリング部６３に伝達し、現像ローラ１１を回転させることができる。
【０１８３】
そのため、ドラムカバー８０を把持して力を加えることができ、ドラムカバー８０に加えた力を、現像ローラ１１に確実に伝達することができ、容易に現像ローラ１１を回転させることができる。
（３−６）また、第２実施形態によれば、図９に示すように、ドラムカバー８０は、カップリング部６３に対するドラムカバー８０の回転方向を示す回転方向表示矢印１０５が設けられているので、現像ローラ１１を回転させるべき方向を間違うことなく、カップリング部６３に駆動力を付与することができる。
【０１８４】
その結果、現像ローラ１１を確実に回転させることができる。
８．第３実施形態
図１０および図１１を参照して、第３実施形態を説明する。なお、第３実施形態において、上記した第１実施形態と同様の部材には同様の符号を付し、その説明を省略する。
【０１８５】
上記した第１実施形態では、感光ドラム８を保護するドラムカバー８０を用いて感光ドラム８を回転させていたが、現像ローラ１１を保護する現像カバーの一例としての現像カバー１１０を用いて感光ドラム８を回転させてもよい。
（１）現像カバー
現像カートリッジ７が出荷・搬送される場合には、図１０に示すように、現像カートリッジ７の現像フレーム５１には、現像フレーム５１の後端部から露出する現像ローラ１１を被覆して保護するために、現像カバー１１０が装着される。
【０１８６】
現像カバー１１０は、図１０および図１１に示すように、樹脂材料（例えば、ポリプロピレン材）などの高分子材料から形成され、本体部１１１と、１対のギア被覆部１１２とを一体的に備えている。
【０１８７】
本体部１１１は、上側平板部１１３と、湾曲部１１４と、下側平板部１１５とを備えている。
【０１８８】
上側平板部１１３は、現像カバー１１０の上側部分を形成し、左右方向に長手の平面視略矩形平板形状に形成されている。上側平板部１１３は、把持部１１６を備えている。
【０１８９】
把持部１１６は、上側平板部１１３の左右方向略中央において、上方に向かって膨出するように形成されている。
【０１９０】
湾曲部１１４は、上側平板部１１３の後端部から連続して、現像ローラ１１の外周面に沿うように、下方に向かって湾曲されるように延びる側断面視略Ｃ字状に形成されている。湾曲部１１４は、第１駆動力付与部および第１突起の一例としての第１駆動力付与突起１１８と、回転方向表示部の一例としての回転方向表示矢印１１９とを備えている。
【０１９１】
第１駆動力付与突起１１８は、駆動力受け部４４を介して感光ドラム８に駆動力を入力するために設けられている。第１駆動力付与突起１１８は、第１中央突起１２１と、複数、すなわち２つの第１側方突起１２２とを備えている。
【０１９２】
第１中央突起１２１は、湾曲部１１４の左右方向略中央における後面から、後方に向かって突出する略円筒形状に形成されている。第１中央突起１２１の外径は、中心軸穴４６の内径よりもわずかに小さい。また、第１中央突起１２１の内周面は、中空部分１２３として区画されている。
【０１９３】
２つの第１側方突起１２２は、第１中央突起１２１の左右方向両外側に設けられ、湾曲部１１４の後面から、後方に向かって突出する略円柱形状に形成されている。第１側方突起１２２は、その外径が、第１中央突起１２１の外径よりも小さく、その前後方向長さが、第１中央突起１２１の前後方向長さよりも小さい。また、第１側方突起１２２の外径は、切欠溝４７の内形よりもわずかに小さい。
【０１９４】
回転方向表示矢印１１９は、湾曲部１１４の後面から後方に向かって膨出するように設けられており、後面視において、反時計回りを示す矢印形状に形成されている。具体的には、左側の第１側方突起１２２の左側においては、上向きの矢印が設けられ、右側の第１側方突起１２２の右側においては、下向きの矢印が設けられている。
【０１９５】
下側平板部１１５は、湾曲部１１４の下端部から連続して下方に向かって延び、その後、前方に向かって屈曲するように形成されている。下側平板部１１５の前端部は、上側平板部１１３の前端部よりも前側に配置されている。
【０１９６】
各ギア被覆部１１２は、前方に向かって開放される略ボックス形状に形成され、左右１対の側壁１２６と、後壁１２７と、下壁１２８と、上壁１２９とを備えている。
【０１９７】
両側壁１２６は、側面視略矩形状に形成され、互いに間隔を隔てて対向配置されている。詳しくは、両側壁１２６は、左右方向外側に配置される外側壁１３２と、左右方向内側に配置される内側壁１３３とを備えている。
【０１９８】
外側壁１３２には、その上下方向略中央部分に、カラー露出溝１３４が形成されている。
【０１９９】
カラー露出溝１３４は、各外側壁１３２の前端縁から後方に向かって窪む側面視略Ｕ字状に形成されている。
【０２００】
また、各内側壁１３３には、連通溝１３５が形成されている。
【０２０１】
連通溝１３５は、本体部１１１の左右方向両端部に対応するように、各内側壁１３３の前端縁から後方に向かって窪む側面視略Ｕ字状に形成されている。
【０２０２】
後壁１２７は、正面視略矩形平板形状に形成され、両側壁１２６の後端部間に架設されている。
【０２０３】
下壁１２８は、平面視略矩形平板形状に形成され、後壁１２７の下端部から連続するように、両側壁１２６の下端部間に架設されている。
【０２０４】
上壁１２９は、平面視略矩形平板形状に形成され、後壁１２７の上端部に連続するように、両側壁１２６の上端部間に架設されている。上壁１２９の前後方向長さは、下壁１２８の前後方向長さよりも長い。
【０２０５】
そして、本体部１１１と各ギア被覆部１１２とは、上側平板部１１３、湾曲部１１４、および、下側平板部１１５の左右方向両端部と、内側壁１３３の左右方向内側面における連通溝１３５の周端部とが連結されることにより、一体的に形成されている。これにより、本体部１１１と各ギア被覆部１１２とは、連通溝１３５を介して、左右方向に連通されている。
（２）現像カバーの現像カートリッジに対する着脱
現像カバー１１０を現像カートリッジ７に装着するには、まず、把持部１１６を把持して、現像カートリッジ７の後方から、現像カバー１１０を現像カートリッジ７に近づけ、現像フレーム５１の現像下壁５８の下面に対して、下側平板部１１５の上面を当接させる。
【０２０６】
そして、下側平板部１１５と現像下壁５８との当接部を支点として、左側面視時計周りに現像カバー１１０を揺動させる。
【０２０７】
そうすると、上側平板部１１３が、上フレーム５５の後端部と重なるとともに、カラー露出溝１３４内に現像カートリッジ７の現像軸カラー２７が配置される。
【０２０８】
これにより、現像カバー１１０の現像カートリッジ７に対する装着が完了する。
【０２０９】
現像カバー１１０を現像カートリッジ７から離脱させるには、上記した手順と逆の手順で操作する。
【０２１０】
具体的には、把持部１１６を把持して、現像カバー１１０を上方に引っ張るとともに、下側平板部１１５と現像下壁５８との当接部を支点として、左側面視反時計周りに現像カバー１１０を揺動させる。
【０２１１】
次いで、現像カバー１１０をさらに後方に移動させる。
【０２１２】
これにより、現像カバー１１０の現像カートリッジ７に対する離間が完了する。
（３）現像カバーによる感光ドラムの回転
上記した第１実施形態と同様に、感光ドラム８が原因となる画像形成不良などが発生した場合には、感光ドラム８を回転させて、感光ドラム８の表面をドラムフレーム３１から露出させ、感光ドラム８の表面の紙粉やごみを除去する。
【０２１３】
このような場合には、現像カバー１１０に設けられる第１駆動力付与突起１１８を感光ドラム８の駆動力受け部４４に嵌合させて、現像カバー１１０を所定の方向に回転させることによって、感光ドラム８の表面の任意の箇所を、ドラムフレーム３１から露出させる。
【０２１４】
具体的には、まず、第１中央突起１２１の先端を中心軸穴４６に嵌合させる。
【０２１５】
次いで、現像カバー１１０を感光ドラム８に対して、さらに押し込む。
【０２１６】
すると、駆動力受け部４４の左面に、第１側方突起１２２の先端が当接されるので、第１中央突起１２１を中心軸として、現像カバー１１０を回転させて、左右方向に投影したときに、第１側方突起１２２が切欠溝４７と重なる位置に配置する。
【０２１７】
そして、現像カバー１１０を感光ドラム８に対してさらに押し込むと、第１側方突起１２２が切欠溝４７に嵌合される。
【０２１８】
これにより、第１駆動力付与突起１１８の駆動力受け部４４に対する嵌合が完了する。
【０２１９】
そして、第１中央突起１２１を中心軸として、湾曲部１１４の回転方向表示矢印１１９の矢印の向きに沿って、現像カバー１１０を回転させる。
【０２２０】
これによって、感光ドラム８が回転され、ドラムフレーム３１から任意の部分が露出される。
（４）第３実施形態の作用効果
第３実施形態によれば、図１０に示すように、駆動力受け部４４に駆動を入力するための第１駆動力付与突起１１８を有する現像カバー１１０を備える現像カートリッジ７は、ドラムカートリッジ６に着脱可能に構成されている。
【０２２１】
そのため、第１駆動力付与突起１１８が、ドラムカートリッジ６とは別体として設けられる現像カートリッジ７の現像カバー１１０に設けられているので、図１１に示すように、現像カバー１１０を工具のように用いて、感光ドラム８を回転させることができる。
【０２２２】
その結果、感光ドラム８に手が直接触れないので、安全に感光ドラム８を回転させることができ、また、感光ドラム８の一部に直接触れて回転させる場合と比較して、小さい力で回転させることができる。
【０２２３】
また、感光ドラム８に手が直接触れることなく、感光ドラム８を回転させることができるので、感光ドラム８の品質を確保することができる。
【０２２４】
従って、感光ドラム８を安全かつ容易に回転させることができ、感光ドラム８の品質を保つことができる。
【０２２５】
また、第３実施形態においても、上記した第１実施形態と同様の作用効果を得ることができる。
９．第４実施形態
図１２および図１３を参照して、第４実施形態を説明する。なお、第４実施形態において、上記した第３実施形態と同様の部材には同様の符号を付し、その説明を省略する。
【０２２６】
上記した第３実施形態では、現像ローラ１１を保護する現像カバー１１０を用いて感光ドラム８を回転させていたが、現像カバー１１０を用いて現像ローラ１１を回転させてもよい。
（１）現像カバー
第３実施形態では、図１０に示すように、現像カバー１１０は、第１駆動力付与突起１１８と、回転方向表示矢印１１９とを備えている。
【０２２７】
これに対して、第４実施形態では、図１２に示すように、現像カバー１１０は、第２駆動力付与部および第２突起の一例としての第２駆動力付与突起１３８と、回転方向表示部の一例としての回転方向表示矢印１３９とを備えている。
【０２２８】
具体的には、第２駆動力付与突起１３８と、回転方向表示矢印１３９とは、現像カバー１１０の湾曲部１１４に設けられている。
【０２２９】
第２駆動力付与突起１３８は、カップリング部６３を介して、現像ローラ１１に駆動力を入力するために設けられている。第２駆動力付与突起１３８は、土台部１４０と、第２中央突起１４１と、複数、すなわち２つの第２側方突起１４２とを備えている。
【０２３０】
土台部１４０は、ドラムカバー後壁８５の左右方向略中央における後面から、後方に向かって突出する略円柱形状に形成されている。
【０２３１】
第２中央突起１４１は、土台部１４０の後面における略中央から、後方に向かって突出する略円柱形状に形成されている。第２中央突起１４１の外径は、カップリング部６３の結合凹部６５における１対の膨出部６７間の長さよりもわずかに小さい。
【０２３２】
２つの第２側方突起１４２は、第２中央突起１４１の左右方向両外側と連続するように、土台部１４０の後面から後方に向かって突出する略角柱形状に形成されている。第２側方突起１４２は、その上下左右方向長さが、第２中央突起１４１の外径よりも小さく、その前後方向長さが、第２中央突起１４１の前後方向長さと略同一である。また、２つの第２側方突起１４２の左右方向両外側間の長さは、結合凹部６５の直径よりもわずかに小さい。
【０２３３】
回転方向表示矢印１３９は、ドラムカバー後壁８５の後面から後方に向かって膨出するように設けられており、後面視において、反時計回りを示す矢印形状に形成されている。具体的には、土台部１４０の左側においては、上向きの矢印が設けられ、土台部１４０の右側においては、下向きの矢印が設けられている。
（２）現像カバーによる現像ローラの回転
上記した第３実施形態と同様に、現像ローラ１１が原因となる画像形成不良などが発生した場合には、現像ローラ１１を回転させて、現像ローラ１１の表面を現像フレーム５１から露出させ、現像ローラ１１の表面の紙粉やごみを除去する。
【０２３４】
このような場合には、図１３に示すように、現像カバー１１０に設けられる第２駆動力付与突起１３８を、現像カートリッジ７のカップリング部６３に嵌合させて、現像カバー１１０を所定の方向に回転させることによって、現像ローラ１１の表面の任意の箇所を、現像フレーム５１から露出させる。
【０２３５】
具体的には、第２駆動力付与突起１３８を、カップリング部６３の結合凹部６５に対して、２つの第２側方突起１４２が膨出部６７と接触しないように、嵌合させる。
【０２３６】
そして、第２中央突起１４１を中心軸として、湾曲部１１４の回転方向表示矢印１３９の矢印の向きに沿って、ドラムカバー８０を回転させる。
【０２３７】
そうすると、第２側方突起１４２が、結合凹部６５に形成される膨出部６７の当接面６８に当接され、膨出部６７を左側面視時計回りに回転させることにより、カップリング部６３を回転させる。
【０２３８】
これによって、カップリング部６３のギア部６６が、図示しないギア列を介して、現像ローラ１１に駆動力を伝達する。
【０２３９】
こうして、現像ローラ１１が回転され、現像フレーム５１から任意の部分が露出される。
（３）第４実施形態の作用効果
第４実施形態によれば、図１２に示すように、第２駆動力付与突起１３８が現像カバー１１０に設けられているので、現像カバー１１０を工具のように用いて、カップリング部６３を介して、現像ローラ１１を回転させることができる。
【０２４０】
そのため、現像ローラ１１に直接手が触れないので、安全に現像ローラ１１を回転させることができ、また、現像ローラ１１の一部に直接触れて回転させる場合と比較して、小さい力で回転させることができる。
【０２４１】
また、現像ローラ１１に手が直接触れることなく、現像ローラ１１を回転させることができるので、現像ローラ１１の品質を確保することができる。
【０２４２】
その結果、現像ローラ１１を安全かつ容易に回転させることができ、現像ローラ１１の品質を保つことができる。
【０２４３】
また、第４実施形態においても、上記した第２実施形態と同様の作用効果を得ることができる。
【符号の説明】
【０２４４】
６      ドラムカートリッジ
７      現像カートリッジ
８      感光ドラム
１１    現像ローラ
４４    駆動力受け部
６３    カップリング部
８０    ドラムカバー
８８    第１駆動力付与突起
８９    回転方向表示矢印
９１    第１中央突起
９２    第１側方突起
１０４  第２駆動力付与突起
１０５  回転方向表示矢印
１０６  第２中央突起
１０７  第２側方突起
１１０  現像カバー
１１８  第１駆動力付与突起
１１９  回転方向表示矢印
１２１  第１中央突起
１２２  第１側方突起
１３８  第２駆動力付与突起
１３９  回転方向表示矢印
１４１  第２中央突起
１４２  第２側方突起
【図１】
2014130304.tif 000003
【図２】
2014130304.tif 000004
【図３】
2014130304.tif 000005
【図４】
2014130304.tif 000006
【図５】
2014130304.tif 000007
【図６】
2014130304.tif 000008
【図７】
2014130304.tif 000009
【図８】
2014130304.tif 000010
【図９】
2014130304.tif 000011
【図１０】
2014130304.tif 000012
【図１１】
2014130304.tif 000013
【図１２】
2014130304.tif 000014
【図１３】
2014130304.tif 000015